(57)【特許請求の範囲】
【請求項１】
インターネットワーク・コーディネーション・デバイスに適用され、第１確立モジュール、受信モジュール、及び第２確立モジュールを備える、近接セルを設定するための装置であって、
前記第１確立モジュールは、マクロ・セルラー・ネットワーク内のマクロセルのセル識別子と端末デバイスのメディアアクセス制御（ＳＴＡ  ＭＡＣ）アドレスとの間の対応関係を確立するとともに、前記確立された対応関係を第１の対応関係として使用するように構成され、
前記受信モジュールは、無線ローカル・エリア・ネットワーク（ＷＬＡＮ）内のアクセスポイント（ＡＰ）により送信される、前記ＳＴＡ  ＭＡＣアドレスと前記ＡＰの識別情報との間の対応関係を受信するとともに、前記受信した対応関係を第２の対応関係として使用するように構成され、
前記第２確立モジュールは、前記第１確立モジュールにより確立された前記第１の対応関係と、前記受信モジュールにより受信された前記第２の対応関係とを使用することにより、前記マクロ・セルラー・ネットワーク内の前記マクロセルの前記セル識別子と前記ＷＬＡＮ内の前記ＡＰの識別情報との間の対応関係を確立するように構成され、
前記第１確立モジュールは、受信サブモジュール、決定サブモジュール、及び第１確立サブモジュールを具備し、
前記受信サブモジュールは、前記マクロ・セルラー・ネットワークを使用して、前記端末デバイスにより報告された前記ＳＴＡ  ＭＡＣアドレスと、端末デバイス識別子（ＵＥ  ＩＤ）とを受信するように構成され、
前記決定サブモジュールは、前記受信サブモジュールにより受信された前記ＵＥ  ＩＤに対応する、マクロセルのセル識別子を決定するように構成され、
前記第１確立サブモジュールは、前記受信サブモジュールにより受信された前記ＳＴＡ  ＭＡＣアドレスと、前記決定サブモジュールにより決定された、前記マクロセルの前記セル識別子との間の対応関係を確立するように構成されている
ことを特徴とする近接セルを設定するための装置。
【請求項２】
前記第２確立モジュールは、検索サブモジュール、取得サブモジュール、及び第２確立サブモジュールを具備し、
前記検索サブモジュールは、前記第１の対応関係を検索して、前記第２の対応関係における前記ＳＴＡ  ＭＡＣアドレスと同じＳＴＡ  ＭＡＣアドレスを検索し、見つかったＳＴＡ  ＭＡＣアドレスを第１ＳＴＡ  ＭＡＣアドレスとして使用するように構成され、
前記取得サブモジュールは、前記検索サブモジュールにより見つけられた前記第１ＳＴＡ  ＭＡＣアドレスに対応するセル識別子を、前記第１の対応関係から、第１セル識別子として取得し、前記検索サブモジュールにより見つけられた前記第１ＳＴＡ  ＭＡＣアドレスに対応するＡＰの識別情報を、前記第２の対応関係から、第１ＡＰの識別情報として取得するように構成され、
前記第２確立サブモジュールは、前記取得サブモジュールにより取得された前記第１セル識別子と、前記第１ＡＰの識別情報との間の対応関係を確立するように構成されている
ことを特徴とする請求項１に記載の装置。
【請求項３】
少なくとも、メモリとプロセッサを備えたインターネットワーク・コーディネーション・デバイスであって、
前記メモリは、第１プログラム命令の群を格納するように構成され、
前記プロセッサは、前記メモリに格納されている第１プログラム命令を呼び出し、以下の動作：
マクロ・セルラー・ネットワーク内のマクロセルのセル識別子と、端末デバイスのメディアアクセス制御アドレス（ＳＴＡ  ＭＡＣアドレス）との間の対応関係を確立し、前記確立された対応関係を、第１の対応関係として使用することであって、前記確立することは、
前記マクロ・セルラー・ネットワークを使用して、前記端末デバイスにより報告された前記ＳＴＡ  ＭＡＣアドレスと、端末デバイス識別子（ＵＥ  ＩＤ）とを受信することと、
前記ＵＥ  ＩＤに対応する、マクロセルのセル識別子を決定することと、
前記ＳＴＡ  ＭＡＣアドレスと、前記マクロセルの前記セル識別子との間の対応関係を確立することとを含む、前記確立することと、
無線ローカル・エリア・ネットワーク（ＷＬＡＮ）内のアクセスポイント（ＡＰ）により送信された、前記ＳＴＡ  ＭＡＣアドレスと前記ＡＰの識別情報との間の対応関係を受信し、前記受信した対応関係を、第２の対応関係として使用することと、
前記第１の対応関係と前記第２の対応関係とを使用して、前記マクロ・セルラー・ネットワーク内の前記マクロセルの前記セル識別子と、前記無線ローカル・エリア・ネットワーク内の前記ＡＰの識別情報との間の対応関係を確立することと、
を実行することを特徴とするインターネットワーク・コーディネーション・デバイス。
【請求項４】
近接セルを設定するための方法であって、
インターネットワーク・コーディネーション・デバイスにより、マクロ・セルラー・ネットワーク内のマクロセルのセル識別子と、端末デバイスのメディアアクセス制御（ＳＴＡ  ＭＡＣ）アドレスとの間の対応関係を確立し、前記確立された対応関係を、第１の対応関係として使用するステップと、
無線ローカル・エリア・ネットワーク（ＷＬＡＮ）内のアクセスポイント（ＡＰ）により送信される、前記ＳＴＡ  ＭＡＣアドレスと前記ＡＰの識別情報との間の対応関係を、前記インターネットワーク・コーディネーション・デバイスにより受信し、前記受信した対応関係を、第２の対応関係として使用するステップと、
前記第１の対応関係と前記第２の対応関係とを使用して、前記インターネットワーク・コーディネーション・デバイスにより、前記マクロ・セルラー・ネットワーク内の前記マクロセルの前記セル識別子と前記ＷＬＡＮ内の前記ＡＰの識別情報との間の対応関係を確立するステップと、
を具備し、インターネットワーク・コーディネーション・デバイスにより、マクロ・セルラー・ネットワーク内のマクロセルのセル識別子と、ＳＴＡ  ＭＡＣアドレスとの間の対応関係を確立する前記ステップは、
前記マクロ・セルラー・ネットワークを使用して、前記端末デバイスにより報告された、前記ＳＴＡ  ＭＡＣアドレス及び端末デバイス識別子（ＵＥ  ＩＤ）を、前記インターネットワーク・コーディネーション・デバイスにより受信するステップと、
前記ＵＥ  ＩＤに対応する、マクロセルのセル識別子を決定するステップと、
前記ＳＴＡ  ＭＡＣアドレスと前記マクロセルの前記セル識別子との間の対応関係を確立するステップと、
を具備することを特徴とすることを特徴とする近接セルを設定するための方法。
【請求項５】
前記第１の対応関係と前記第２の対応関係とを使用して、前記インターネットワーク・コーディネーション・デバイスにより、前記マクロ・セルラー・ネットワーク内の前記マクロセルの前記セル識別子と、前記ＷＬＡＮ内の前記ＡＰの識別情報との間の対応関係を確立する前記ステップは、
前記インターネットワーク・コーディネーション・デバイスにより、前記第２の対応関係における前記ＳＴＡ  ＭＡＣアドレスと同じＳＴＡ  ＭＡＣアドレスについて前記第１の対応関係を検索し、見つかったＳＴＡ  ＭＡＣアドレスを第１ＳＴＡ  ＭＡＣアドレスとして使用するステップと、
前記第１の対応関係から、前記第１ＳＴＡ  ＭＡＣアドレスに対応するセル識別子を、第１セル識別子として取得し、前記第２の対応関係から、前記第１ＳＴＡ  ＭＡＣアドレスに対応する前記ＡＰの識別情報を、第１ＡＰの識別情報として取得するステップと、
前記第１セル識別子と、前記第１ＡＰの識別情報との間の対応関係を確立するステップと、
を具備することを特徴とする請求項４に記載の方法。
【発明の詳細な説明】
【技術分野】
【０００１】
本発明は、通信技術の分野に関連し、具体的には、近接セルを設定するため、及び近接セル情報を報告するための方法、装置、及びデバイスに関する。
【背景技術】
【０００２】
従来のマクロ・セルラー・ネットワークにおいてデータ・ユーザが大幅に増加した後、ネットワーク・リソースに対する大量のユーザ・コンテンツが、パケット・スイッチ（ＰＳ）レートの急激な低下を伴うため、望ましくないユーザ・エクスペリエンスが生じる。ＰＳレートを向上させるためには、効率的なオフローディング方法が必要であり、オフローディング方法は、マクロ・セルラー・ネットワークのデータ・ユーザを他のネットワークに転送(transfer)することである。ＷＬＡＮネットワークは、高品質で低価格の最も効果的なソリューションである。
【０００３】
マクロ・セルラー・ネットワークとＷＬＡＮネットワークは２つの異なるタイプの無線ネットワークであるため、ＷＬＡＮネットワークを使用してマクロ・セルラー・ネットワークからオフロードする際に、ＷＬＡＮネットワークとマクロ・セルラー・ネットワークとの間の調整の問題が関与する。マクロセルとＷＬＡＮネットワークとの間の正確な負荷バランスを実現するためには、マクロ・セルラー・ネットワークの各マクロセルおよびＷＬＡＮネットワークのセルに対して、明確な近接セル設定が実行される必要がある。
【０００４】
従来技術における近接セル設定では、主にライブネットワークテストを手動で行い、テスト結果に応じて手動設定を行っていた。手動設定には手間がかかる(labor-consuming)。
【発明の概要】
【課題を解決するための手段】
【０００５】
このような観点において、本発明の実施形態は、従来技術において、主にライブネットワークテストが手動で実行され、テスト結果に従って手動設定が行われるという近接セル設定の問題を解決するための、近接セルを設定するための方法、近接セル情報を報告するための方法、装置、及びデバイスを提供する。手動設定には手間がかかる。本発明の技術的ソリューションは以下のとおりである。
【０００６】
第１の態様によると、近接セルを設定するための装置は、インターネットワーク・コーディネーション・デバイスに適用され、第１確立モジュール、受信モジュール、及び第２確立モジュールを備え、
前記第１確立モジュールは、マクロ・セルラー・ネットワーク内のマクロセルのセル識別子と、端末デバイスのメディアアクセス制御（ＳＴＡ  ＭＡＣ）アドレスとの間の対応関係を確立するとともに、前記確立された対応関係を第１の対応関係として使用するように構成され、
前記受信モジュールは、無線ローカル・エリア・ネットワーク（ＷＬＡＮ）内のアクセスポイント（ＡＰ）により送信される、前記ＳＴＡ  ＭＡＣアドレスと前記ＡＰの識別情報との間の対応関係を受信するとともに、前記受信した対応関係を第２の対応関係として使用するように構成され、
前記第２確立モジュールは、前記第１確立モジュールにより確立された前記第１の対応関係と、前記受信モジュールにより受信された前記第２の対応関係とを使用することにより、前記マクロ・セルラー・ネットワーク内の前記マクロセルの前記セル識別子と、前記ＷＬＡＮ内の前記ＡＰの識別情報との間の対応関係を確立するように構成されている。
【０００７】
第１の態様の第１の可能な実施様式において、前記第１確立モジュールは、受信サブモジュール、決定サブモジュール、及び第１確立サブモジュールを具備し、
前記受信サブモジュールは、前記マクロ・セルラー・ネットワークを使用して、前記端末デバイスにより報告された前記ＳＴＡ  ＭＡＣアドレスと、端末デバイス識別子（ＵＥ  ＩＤ）とを受信するように構成され、
前記決定サブモジュールは、前記受信サブモジュールにより受信された前記ＵＥ  ＩＤに対応する、マクロセルのセル識別子を決定するように構成され、
前記第１確立サブモジュールは、前記受信サブモジュールにより受信された前記ＳＴＡ  ＭＡＣアドレスと、前記決定サブモジュールにより決定された、前記マクロセルの前記セル識別子との間の対応関係を確立するように構成されている。
【０００８】
第１の態様又は第１の態様の第１の可能な実施様式に関連して、第１の態様の第２の可能な実施様式において、前記第２確立モジュールは、検索サブモジュール、取得サブモジュール、及び第２確立サブモジュールを具備し、
前記検索サブモジュールは、前記第１の対応関係を検索して、前記第２の対応関係における前記ＳＴＡ  ＭＡＣアドレスと同じＳＴＡ  ＭＡＣアドレスを検索し、見つかったＳＴＡ  ＭＡＣアドレスを第１ＳＴＡ  ＭＡＣアドレスとして使用するように構成され、
前記取得サブモジュールは、前記検索サブモジュールにより見つけられた前記第１ＳＴＡ  ＭＡＣアドレスに対応するセル識別子を、前記第１の対応関係から、第１セル識別子として取得し、前記検索サブモジュールにより見つけられた前記第１ＳＴＡ  ＭＡＣアドレスに対応するＡＰの識別情報を、前記第２の対応関係から、第１ＡＰの識別情報として取得するように構成され、
前記第２確立サブモジュールは、前記取得サブモジュールにより取得された前記第１セル識別子と、前記第１ＡＰの識別情報との間の対応関係を確立するように構成されている。
【０００９】
第２の態様によると、近接セル情報を報告するための装置は、端末デバイスに適用され、第１送信モジュール及び第２送信モジュールを備え、
前記第１送信モジュールは、マクロ・セルラー・ネットワークを使用して、前記端末デバイスのメディアアクセス制御アドレス（ＳＴＡ  ＭＡＣアドレス）と、端末デバイス識別子（ＵＥ  ＩＤ）とを、インターネットワーク・コーディネーション・デバイスに送信するように構成され、前記ＵＥ  ＩＤは、前記ＳＴＡ  ＭＡＣアドレスに対応する、前記マクロ・セルラー・ネットワーク内のマクロセルのセル識別子を決定するために使用され、
前記第２送信モジュールは、無線ローカル・エリア・ネットワーク（ＷＬＡＮ）内のアクセスポイント（ＡＰ）が、前記ＡＰの識別情報と、前記ＳＴＡ  ＭＡＣアドレスとの間の対応関係を確立し、前記対応関係を、前記インターネットワーク・コーディネーション・デバイスに送信できるように、前記ＳＴＡ  ＭＡＣアドレスを搬送するプローブ要求を、前記ＷＬＡＮ内の前記ＡＰに送信するように構成されている。
【００１０】
第３の態様によると、近接セルを設定するための装置は、インターネットワーク・コーディネーション・デバイスに適用され、受信モジュール、決定モジュール、及び確立モジュールを具備し、
前記受信モジュールは、マクロ・セルラー・ネットワークを使用して端末デバイスにより報告される、無線ローカル・エリア・ネットワーク（ＷＬＡＮ）のアクセスポイント（ＡＰ）の識別情報と端末デバイス識別子（ＵＥ  ＩＤ）との間の対応関係を受信するように構成され、
前記決定モジュールは、前記受信モジュールにより受信された前記対応関係内の前記ＵＥ  ＩＤに対応する、前記マクロ・セルラー・ネットワーク内のマクロセルのセル識別子を決定するように構成され、
前記確立モジュールは、前記決定モジュールにより決定された、前記マクロセルの前記セル識別子と、前記受信モジュールにより受信された前記対応関係内の前記ＡＰの識別情報との間の対応関係を確立するように構成されている。
【００１１】
第４の態様によると、近接セル情報を報告するための装置は、端末デバイスに適用され、取得モジュール、確立モジュール、及び送信モジュールを具備し、
前記取得モジュールは、無線ローカル・エリア・ネットワークのアクセスポイント（ＡＰ）の識別情報を取得するように構成され、
前記確立モジュールは、端末デバイス識別子（ＵＥ  ＩＤ）と、前記取得モジュールにより取得された前記ＡＰの識別情報との間の対応関係を確立するように構成され、
前記送信モジュールは、マクロ・セルラー・ネットワークを使用して、前記確立モジュールにより確立された前記対応関係を、インターネットワーク・コーディネーション・デバイスに送信するように構成され、前記ＵＥ  ＩＤは、前記無線ローカル・エリア・ネットワークの前記ＡＰの識別情報に対応する、前記マクロ・セルラー・ネットワーク内のマクロセルのセル識別子を決定するよう為に使用される。
【００１２】
第４の態様の第１の可能な実施様式において、前記取得モジュールは、送信サブモジュール、受信サブモジュール、及び抽出サブモジュールを具備し、
前記送信サブモジュールは、プローブ要求メッセージを、前記無線ローカル・エリア・ネットワーク内の前記ＡＰに送信するように構成され、
前記受信サブモジュールは、前記ＡＰにより送信されたプローブ応答メッセージを受信するように構成され、前記プローブ応答メッセージは、前記ＡＰの識別情報を搬送し、
前記抽出サブモジュールは、前記受信サブモジュールにより受信された前記プローブ応答メッセージから、前記ＡＰの識別情報を抽出するように構成されている。
【００１３】
第５の態様によると、インターネットワーク・コーディネーション・デバイスは、少なくとも、メモリとプロセッサを具備し、
前記メモリは、第１プログラム命令の群を格納するように構成され、
前記プロセッサは、前記メモリに格納されている第１プログラム命令を読み出し、以下の動作：
マクロ・セルラー・ネットワーク内のマクロセルのセル識別子と、端末デバイスのメディアアクセス制御アドレス（ＳＴＡ  ＭＡＣアドレス）との間の対応関係を確立し、前記確立された対応関係を、第１の対応関係として使用することと、
無線ローカル・エリア・ネットワーク（ＷＬＡＮ）内のアクセスポイント（ＡＰ）により送信された、前記ＳＴＡ  ＭＡＣアドレスと前記ＡＰの識別情報との間の対応関係を受信し、前記受信した対応関係を、第２の対応関係として使用することと、
前記第１の対応関係と前記第２の対応関係とを使用して、前記マクロ・セルラー・ネットワーク内の前記マクロセルの前記セル識別子と、前記無線ローカル・エリア・ネットワーク内の前記ＡＰの識別情報との間の対応関係を確立することと、
を実行する。
【００１４】
第６の態様によると、端末デバイスは、少なくとも、メモリとプロセッサを具備し、
前記メモリは、第２プログラム命令の群を格納するように構成され、
前記プロセッサは、前記メモリに格納されている第２プログラム命令を呼び出し、以下の動作：
マクロ・セルラー・ネットワークを使用して、メディアアクセス制御アドレス（ＳＴＡ  ＭＡＣアドレス）と、端末デバイス識別子（ＵＥ  ＩＤ）を、インターネットワーク・コーディネーション・デバイスに報告することであって、前記ＵＥ  ＩＤは、前記ＳＴＡ  ＭＡＣアドレスに対応位する、前記マクロ・セルラー・ネットワーク内のマクロセルの識別子を決定するために使用される、報告することと、
無線ローカル・エリア・ネットワーク（ＷＬＡＮ）内のアクセスポイント（ＡＰ）が、前記ＡＰの識別情報と前記ＳＴＡ  ＭＡＣアドレスとの間の対応関係を確立し、前記対応関係を、前記インターネットワーク・コーディネーション・デバイスに送信できるように、前記ＳＴＡ  ＭＡＣアドレスを搬送するプローブ要求を、前記無線ローカル・エリア・ネットワーク内の前記ＡＰに送信することと、
を実行する。
【００１５】
第７の態様によると、インターネットワーク・コーディネーション・デバイスは、少なくとも、メモリとプロセッサを具備し、
前記メモリは、第３プログラム命令の群を格納するように構成され、
前記プロセッサは、前記メモリに格納されている第３プログラム命令を呼び出し、以下の動作：
マクロ・セルラー・ネットワークを使用して端末デバイスにより報告される、無線ローカル・エリア・ネットワーク（ＷＬＡＮ）のアクセスポイント（ＡＰ）の識別情報と端末デバイス識別子（ＵＥ  ＩＤ）との間の対応関係を受信することと、
前記ＵＥ  ＩＤに対応する、前記マクロ・セルラー・ネットワーク内のマクロセルのセル識別子を決定することと、
前記マクロ・セルラー・ネットワーク内の前記マクロセルの前記セル識別子と、前記ＷＬＡＮ内の前記ＡＰの識別情報との間の対応関係を確立することと、
を実行する。
【００１６】
第８の態様によると、端末デバイスは、少なくとも、メモリとプロセッサを具備し、
前記メモリは、第４プログラム命令の群を格納するように構成され、
前記プロセッサは、前記メモリに格納されている第４プログラム命令を呼び出し、以下の動作：
無線ローカル・エリア・ネットワークのアクセスポイント（ＡＰ）の識別情報（ＷＬＡＮ）を取得することと、
前記ＡＰの識別情報と、端末デバイス識別子（ＵＥ  ＩＤ）との間の対応関係を確立することと、
マクロ・セルラー・ネットワークを使用して、前記対応関係を、インターネットワーク・コーディネーション・デバイスに送信することであって、前記ＵＥ  ＩＤは、前記ＷＬＡＮネットワーク内の前記ＡＰの識別情報に対応する、前記マクロ・セルラー・ネットワーク内のマクロセルのセル識別子を決定するために使用される、送信することと、
を実行する。
【００１７】
第９の態様によると、近接セルを設定するための方法は、
インターネットワーク・コーディネーション・デバイスにより、マクロ・セルラー・ネットワーク内のマクロセルのセル識別子と、端末デバイスのメディアアクセス制御（ＳＴＡ  ＭＡＣ）アドレスとの間の対応関係を確立し、前記確立された対応関係を、第１の対応関係として使用するステップと、
無線ローカル・エリア・ネットワーク（ＷＬＡＮ）内のアクセスポイント（ＡＰ）により送信される、前記ＳＴＡ  ＭＡＣアドレスと前記ＡＰの識別情報との間の対応関係を、前記インターネットワーク・コーディネーション・デバイスにより受信し、前記受信した対応関係を、第２の対応関係として使用するステップと、
前記第１の対応関係と前記第２の対応関係とを使用して、前記インターネットワーク・コーディネーション・デバイスにより、前記マクロ・セルラー・ネットワーク内の前記マクロセルの前記セル識別子と、前記ＷＬＡＮ内の前記ＡＰの識別情報との間の対応関係を確立するステップと、
を含む。
【００１８】
第９の態様の第１の可能な実施様式において、インターネットワーク・コーディネーション・デバイスにより、マクロ・セルラー・ネットワーク内のマクロセルのセル識別子と、ＳＴＡ  ＭＡＣアドレスとの間の対応関係を確立する前記ステップは、
前記マクロ・セルラー・ネットワークを使用して、前記端末デバイスにより報告された、前記ＳＴＡ  ＭＡＣアドレス及び端末デバイス識別子（ＵＥ  ＩＤ）を、前記インターネットワーク・コーディネーション・デバイスにより受信するステップと、
前記ＵＥ  ＩＤに対応する、マクロセルのセル識別子を決定するステップと、
前記ＳＴＡ  ＭＡＣアドレスと前記マクロセルの前記セル識別子との間の対応関係を確立するステップと、
を含む。
【００１９】
第９の態様又は第９の態様の第１の可能な実施様式に関連して、第９の態様の第２の可能な実施様式において、前記第１の対応関係と前記第２の対応関係とを使用して、前記インターネットワーク・コーディネーション・デバイスにより、前記マクロ・セルラー・ネットワーク内の前記マクロセルの前記セル識別子と、前記ＷＬＡＮ内の前記ＡＰの識別情報との間の対応関係を確立する前記ステップは、
前記インターネットワーク・コーディネーション・デバイスにより、前記第２の対応関係における前記ＳＴＡ  ＭＡＣアドレスと同じＳＴＡ  ＭＡＣアドレスについて前記第１の対応関係を検索し、見つかったＳＴＡ  ＭＡＣアドレスを第１ＳＴＡ  ＭＡＣアドレスとして使用するステップと、
前記第１の対応関係から、前記第１ＳＴＡ  ＭＡＣアドレスに対応するセル識別子を、第１セル識別子として取得し、前記第２の対応関係から、前記第１ＳＴＡ  ＭＡＣアドレスに対応する前記ＡＰの識別情報を、第１ＡＰの識別情報として取得するステップと、
前記第１セル識別子と、前記第１ＡＰの識別情報との間の対応関係を確立するステップと、
を含む。
【００２０】
第１０の態様によると、近接セル情報を報告するための方法は、
マクロ・セルラー・ネットワークを使用して、端末デバイスにより、前記端末デバイスのメディアアクセス制御（ＳＴＡ  ＭＡＣ）アドレス、及び端末デバイス識別子（ＵＥ  ＩＤ）を、インターネットワーク・コーディネーション・デバイスに送信するステップであって、前記ＵＥ  ＩＤは、前記ＳＴＡ  ＭＡＣアドレスに対応する、前記マクロ・セルラー・ネットワーク内のマクロセルのセル識別子を決定するために使用される、ステップと、
無線ローカル・エリア・ネットワーク（ＷＬＡＮ）内のアクセスポイント（ＡＰ）が、前記ＡＰの識別情報と、前記ＳＴＡ  ＭＡＣアドレスとの間の対応関係を確立し、前記対応関係を、前記インターネットワーク・コーディネーション・デバイスに送信できるように、前記端末デバイスにより、前記ＳＴＡ  ＭＡＣアドレスを搬送するプローブ要求を、前記ＷＬＡＮ内の前記ＡＰに送信するステップと、
を含む。
【００２１】
第１１の態様によると、近接セルを設定するための方法は、
マクロ・セルラー・ネットワークを使用して端末デバイスにより報告される、無線ローカル・エリア・ネットワーク（ＷＬＡＮ）のアクセスポイント（ＡＰ）の識別情報と端末デバイス識別子（ＵＥ  ＩＤ）との間の対応関係を、インターネットワーク・コーディネーション・デバイスにより受信するステップと、
前記インターネットワーク・コーディネーション・デバイスにより、前記ＵＥ  ＩＤに対応する、前記マクロ・セルラー・ネットワーク内のマクロセルのセル識別子を決定するステップと、
前記インターネットワーク・コーディネーション・デバイスにより、前記マクロ・セルラー・ネットワーク内の前記マクロセルの前記セル識別子と、前記ＷＬＡＮ内の前記ＡＰの識別情報との間の対応関係を確立するステップと、
を含む。
【００２２】
第１２の態様によると、近接セル情報を報告するための方法は、
端末デバイスにより、無線ローカル・エリア・ネットワークのアクセスポイント（ＡＰ）の識別情報（ＷＬＡＮ）を取得するステップと、
前記端末デバイスにより、前記ＡＰの識別情報と端末デバイス識別子（ＵＥ  ＩＤ）との間の対応関係を確立するステップと、
前記端末デバイスにより、前記対応関係を、マクロ・セルラー・ネットワークを使用して、インターネットワーク・コーディネーション・デバイスに送信するステップであって、前記ＵＥ  ＩＤは、前記ＷＬＡＮ内の前記ＡＰの識別情報に対応する、前記マクロ・セルラー・ネットワーク内のマクロセルのセル識別子を決定するために使用される、ステップと、
を含む。
【００２３】
第１２の態様の第１の可能な実施様式において、端末デバイスにより、無線ローカル・エリア・ネットワーク（ＷＬＡＮ）内のＡＰの識別情報を取得する前記ステップは、具体的には、
前記端末デバイスにより、プローブ要求メッセージを、前記ＷＬＡＮ内の前記ＡＰに送信するステップと、
前記ＡＰにより送信されたプローブ応答メッセージを受信するステップであって、前記プローブ応答メッセージは、前記ＡＰの識別情報を搬送する、ステップと、
前記プローブ応答メッセージから、前記ＡＰの識別情報を抽出するステップ、
である。
【００２４】
上述の技術的ソリューションは、以下の有益な効果を有する：
本発明の実施形態において提供される、近接セルを設定するための方法、近接セル情報を報告する為の方法、装置、及びデバイスにおいて、インターネットワーク・コーディネーション・デバイスは、マクロ・ネットワーク側のＳＴＡ  ＭＡＣアドレスと、マクロセルのセル識別子との間の対応関係を確立し得、ＷＬＡＮネットワーク内のＡＰにより送信された、前記ＳＴＡ  ＭＡＣアドレスと前記ＡＰの識別情報との間の対応関係を受信した後、マクロ・セルラー・ネットワーク内の前記マクロセルの前記セル識別子と、前記ＷＬＡＮネットワーク内の前記ＡＰの識別情報との間の対応関係を更に確立するために、前記インターネットワーク・コーディネーション・デバイスは、受信したＳＴＡ  ＭＡＣアドレスと、マクロ・ネットワーク側の前記ＳＴＡ  ＭＡＣアドレスとをマッチし得る。あるいは、前記インターネットワーク・コーディネーション・デバイスは、端末デバイスにより報告された、前記ＡＰの識別情報と、ＵＥＩＤとの間の対応関係を受信し得、その後、前記対応関係を使用して、前記マクロセルの前記セル識別子と、前記ＡＰの識別情報との間の対応関係を更に確立できる。本発明において提供される、近接セルを設定するための方法、近接セル情報を報告するための方法、装置、及びデバイスは、近接セル情報の自動設定（例えば、近接セルリストの自動確立）を実現可能であり、ライブネットワークの手動のテスト及び設定を必要としない。
【００２５】
本発明の実施形態における技術的ソリューションをより明瞭に説明するために、以下に、それらの実施形態を説明するのに必要な添付の図面を簡単に概説する。明らかに、以下の説明における添付の図面は、本発明のいくつかの実施形態を示すに過ぎず、当業者は、創造的な取り組みなしに、添付の図面に従って他の図面をさらに得ることができる。
【図面の簡単な説明】
【００２６】
【図１】本発明の一実施形態によるネットワークアーキテクチャの概略図である。
【図２】本発明の一実施形態による近接セルを設定するための方法の概略フローチャートである。
【図３】本発明の一実施形態による近接セル情報を報告するための方法の概略フローチャートである。
【図４】本発明の一実施形態による近接セルを設定するための別の方法の概略フローチャートである。
【図５】本発明の一実施形態による近接セル情報を報告するための別の方法の概略フローチャートである。
【図６】本発明の一実施形態による近接セルを設定するための装置の概略構成図である。
【図７】本発明の一実施形態による近接セル情報を報告するための装置の概略構成図である。
【図８】本発明の一実施形態による近接セルを設定するための別の装置の概略構成図である。
【図９】本発明の一実施形態による近接セル情報を報告するための別の装置の概略構成図である。
【図１０】本発明の一実施形態によるインターネットワーク・コーディネーション・デバイスの概略構成図である。
【図１１】本発明の一実施形態による端末デバイスの概略構成図である。
【図１２】本発明の一実施形態による別のインターネットワーク・コーディネーション・デバイスの概略構成図である。
【図１３】本発明の一実施形態による別の端末デバイスの概略構成図である。
【発明を実施するための形態】
【００２７】
以下では、本発明の実施形態における添付の図面を参照しながら、本発明の実施形態における技術的ソリューションを説明する。説明される実施形態は、本発明の実施形態のすべてではなく、単にいくつかの実施形態を示すものにすぎないことは明らかである。本発明の実施形態に基づき当業者が創造的な取り組み無しに得られる他のすべての実施形態は、本発明の保護範囲に含まれるものとする。
【００２８】
図１を参照すると、図１は、本発明において提供されるネットワークアーキテクチャの概略図である。図１のｅＣｏは、マクロ・セルラー・ネットワークと、無線ローカル・エリア・ネットワーク（ＷＬＡＮ）との間に接続された、インターネットワーク・コーディネーション・デバイスである。ＲＮＣは、マクロ・セルラー・ネットワーク側のデバイスである、ラジオ・ネットワーク・コントローラである。ＣＥＬＬは、マクロセルである。ＡＣはアクセス・コントローラである。ＡＰは、ラジオ・アクセス・ポイントである。ＡＣとＡＰは、ＷＬＡＮネットワーク側のデバイスである。端末デバイスは、ＷｉＦｉモジュールを備えており、ＷｉＦｉは、Ａｐｐクライアントをインストールしたり、ＲＯＭカスタマイズ（ＩＯＳシステム、Ａｎｄｒｏｉｄシステム、及びＭｉｃｒｏｓｏｆｔのＷＰシステムなど）を行うことで自動的に開始され得る。端末デバイスは、ＷＬＡＮネットワーク内のＡＰの識別情報（ＡＰ  ＭＡＣアドレスなど）を直接取得し得る。あるいは、端末デバイスにおけるＳＴＡ  ＭＡＣ（無線ローカル・エリア・ネットワークにおいて、ＷｉＦｉモジュールを備えた端末デバイスをＳＴＡと称する)アドレスが報告され得る。
【００２９】
上述のネットワークアーキテクチャに基づいて、本発明の技術的ソリューションを、インターネットワーク・コーディネーション・デバイスの観点から説明すると、図２を参照し、図２は、本発明の一実施形態による近接セルを設定するための方法の概略フローチャートである。方法は、以下を具備する。
【００３０】
ステップ  Ｓ２０１：インターネットワーク・コーディネーション・デバイスは、マクロ・セルラー・ネットワーク内のマクロセルのセル識別子と、端末デバイスのメディアアクセス制御アドレス（ＳＴＡ  ＭＡＣアドレス）との間の対応関係を確立し、確立された対応関係を、第１の対応関係として使用する。
【００３１】
可能な実施様式において、インターネットワーク・コーディネーション・デバイスにより、マクロ・セルラー・ネットワーク内のマクロセルのセル識別子と、端末デバイスのＳＴＡ  ＭＡＣアドレスとの間の対応関係を確立するステップは、具体的には、インターネットワーク・コーディネーション・デバイスにより、マクロ・セルラー・ネットワークを使用して、端末デバイスにより送信された、ＳＴＡ  ＭＡＣアドレス及び端末デバイス識別子（ＵＥ  ＩＤ）を受信し、受信したＵＥ  ＩＤに対応する、マクロセルのセル識別子を決定し、受信したＳＴＡ  ＭＡＣアドレスと、マクロセルの決定されたセル識別子との間の対応関係を確立する。
【００３２】
インターネットワーク・コーディネーション・デバイスは、マクロ・セルラー・ネットワーク内のマクロセルのセル識別子と、ＵＥ  ＩＤとの間の対応関係を、事前に格納することに注意すべきである。端末デバイスにより送信されたＵＥ  ＩＤを受信すると、インターネットワーク・コーディネーション・デバイスは、インターネットワーク・コーディネーション・デバイスにより決定されたマクロセルのセル識別子と、インターネットワーク・コーディネーション・デバイスにより受信されたＳＴＡ  ＭＡＣアドレスとの間の対応関係をさらに確立するために、マクロセルのセル識別子とＵＥ  ＩＤとの間の対応関係を使用して、受信したＵＥ  ＩＤに対応する、マクロセルのセル識別子を決定し得る。
【００３３】
代表的には、インターネットワーク・コーディネーション・デバイスは、テーブル形式を用いて、マクロ・セルラー・ネットワーク内のマクロセルのセル識別子と、ＵＥ  ＩＤとの間の対応関係を保持しており、マクロセルのセル識別子と、端末デバイスのＳＴＡ  ＭＡＣアドレスとの間の対応関係のテーブルは以下のように示される。
【００３４】
【表１】
0006374602.tif 000002
【００３５】
ステップ  Ｓ２０２：インターネットワーク・コーディネーション・デバイスは、無線ローカル・エリア・ネットワーク内のＡＰにより送信された、ＳＴＡ  ＭＡＣアドレスとＡＰの識別情報との間の対応関係を受信し、受信した対応関係を、第２の対応関係として使用する。
【００３６】
ＡＰの識別情報は、ＡＰのＭＡＣアドレスかＡＰのＢＳＳＩＤであり得る。本発明のこの実施形態において、本発明の技術的ソリューションは、ＡＰの識別情報がＡＰのＭＡＣアドレスである例を使用して説明される。
【００３７】
本発明のこの実施形態において、端末デバイスは、プローブ要求メッセージを、無線ローカル・エリア・ネットワーク内のＡＰに送信する。プローブ要求メッセージは、端末デバイスのＳＴＡ  ＭＡＣアドレスを搬送する。端末により送信されたプローブ要求メッセージを受信すると、無線ローカル・エリア・ネットワーク内のＡＰは、プローブ要求メッセージから、ＳＴＡ  ＭＡＣアドレスを抽出し、ＳＴＡ  ＭＡＣアドレスとＡＰ  ＭＡＣアドレスとの間の対応関係を確立し、その後、ＳＴＡ  ＭＡＣアドレスとＡＰ  ＭＡＣアドレスとの間の確立された対応関係を、インターネットワーク・コーディネーション・デバイスに送信する。
【００３８】
ＡＰが、ＳＴＡ  ＭＡＣアドレスとＡＰの識別情報との間の対応関係を、インターネットワーク・コーディネーション・デバイスに送信するための複数の方法があることは理解し得る。可能な実施様式において、ＡＰは、テーブル形式を使用して、ＳＴＡ  ＭＡＣアドレスとＡＰの識別情報との間の対応関係を、インターネットワーク・コーディネーション・デバイスに送信する。
【００３９】
代表的には、無線ローカル・エリア・ネットワーク内のＡＰにより確立された、ＳＴＡ  ＭＡＣアドレスとＡＰ  ＭＡＣアドレスとの間の対応関係は、以下のテーブル２のように示される。
【００４０】
【表２】
0006374602.tif 000003
【００４１】
ＡＰは、テーブル２で示されているテーブル形式を使用して、ＳＴＡ  ＭＡＣアドレスとＡＰの識別情報との間の対応関係を、インターネットワーク・コーディネーション・デバイスに一度に送信する。この送信方法に加え、ＡＰは、ＳＴＡ  ＭＡＣアドレスとＡＰの識別情報との間の対応関係を、インターネットワーク・コーディネーション・デバイスに、１つの対応関係を一単位として複数回送信してもよく、又はＳＴＡ  ＭＡＣアドレスとＡＰの識別情報との間の対応関係を、インターネットワーク・コーディネーション・デバイスに、複数の対応関係を一単位として送信してもよい、本発明の実施形態は、対応関係を送信するための方法について規定しておらず、対応関係を送信するための方法は、ＡＰが、ＳＴＡ  ＭＡＣアドレスとＡＰの識別情報との間の対応関係を、インターネットワーク・コーディネーション・デバイスに送信する限り、本発明のこの実施形態の保護範囲に属する。
【００４２】
ステップ  Ｓ２０３：インターネットワーク・コーディネーション・デバイスが、第１の対応関係と第２の対応関係とを使用して、マクロ・セルラー・ネットワーク内のマクロセルのセル識別子と、無線ローカル・エリア・ネットワーク内のＡＰの識別情報との間の対応関係を確立する。
【００４３】
この実施形態において、第１の対応関係と第２の対応関係とを使用して、インターネットワーク・コーディネーション・デバイスにより、マクロ・セルラー・ネットワーク内のマクロセルのセル識別子とＷＬＡＮネットワーク内のＡＰのＡＰ  ＭＡＣアドレスとの間の対応関係を確立することは、具体的には：インターネットワーク・コーディネーション・デバイスにより、第２の対応関係内のＳＴＡ  ＭＡＣアドレスと同じＳＴＡ  ＭＡＣアドレスに関して、第１の対応関係を検索し、見つかったＳＴＡ  ＭＡＣアドレスを、第１ＳＴＡ  ＭＡＣアドレスとして使用し、第１の対応関係から、第１ＳＴＡ  ＭＡＣアドレスに対応するセル識別子を、第１セル識別子として取得し、第２の対応関係から、第１ＳＴＡ  ＭＡＣアドレスに対応するＡＰの識別情報を、第１ＡＰの識別情報として取得し、第１セル識別子を第１ＡＰの識別情報と関連付け、第１セル識別子と第１ＡＰの識別情報との間の対応関係を確立する。
【００４４】
同様に、第１の対応関係がテーブル形式（テーブル１）、第２の対応関係がテーブル形式（テーブル２）である例を用いて、テーブル２のＳＴＡ  ＭＡＣ１のために、テーブル１のＳＴＡ  ＭＡＣアドレスが、ＳＴＡ  ＭＡＣ１のために検索される。ＳＴＡ  ＭＡＣ１が見つかると、ＳＴＡ  ＭＡＣ１に対応するＡＰは、ＳＴＡ  ＭＡＣ１に対応するマクロセルの近接セルであるとみなされ、ＳＴＡ  ＭＡＣ１に対応するマクロセル識別子 ＣＥＬＬ  ＩＤ１がテーブル１から取得され、ＳＴＡ  ＭＡＣ１に対応するＡＰ  ＭＡＣ１がテーブル２から取得され、その後、ＳＴＡ  ＭＡＣ１がＡＰ  ＭＡＣ１と関連付けられ、すなわち、ＳＴＡ  ＭＡＣ１とＡＰ  ＭＡＣ１との間の対応関係が確立される。
【００４５】
マクロ・セルラー・ネットワーク内のマクロセルのセル識別子と、無線ローカル・エリア・ネットワーク内のＡＰの識別情報との間の対応関係は、テーブル形式であってもよいことに留意すべきである。テーブル３に示されているように、テーブル３は、テーブル１とテーブル２を使用して確立されたマクロ・セルラー・ネットワーク内のマクロセルのセル識別子と、無線ローカル・エリア・ネットワーク内のＡＰのＡＰ  ＭＡＣアドレスとの間の対応関係のテーブルである。
【００４６】
【表３】
0006374602.tif 000004
【００４７】
本発明のこの実施形態において提供される近接セルを設定するための方法において、インターネットワーク・コーディネーション・デバイスは、最初に、マクロ・ネットワーク側のＳＴＡ  ＭＡＣアドレスとマクロセルのセル識別子との間の対応関係を確立する。無線ローカル・エリア・ネットワーク内のＡＰにより送信された、ＳＴＡ  ＭＡＣアドレスとＡＰの識別情報との間の対応関係を受信した後、インターネットワーク・コーディネーション・デバイスは、受信したＳＴＡ  ＭＡＣアドレスをマクロ・ネットワーク側のＳＴＡ  ＭＡＣアドレスとマッチし、マクロ・セルラー・ネットワーク内のマクロセルのセル識別子と、無線ローカル・エリア・ネットワーク内のＡＰの識別情報との間の対応関係を更に確立する。本発明のこの実施形態において提供される近接セルを設定するための方法は、近接セル情報の自動設定（例えば、近接セルリストの自動確立）を実現可能であり、ライブネットワークの手動のテスト及び設定を必要としない。
【００４８】
対応して、本発明の技術的ソリューションを端末デバイスの観点から説明すると、図３を参照すると、図３は、本発明の一実施形態による近接セル情報を報告するための方法の概略フローチャートである。方法は、以下を含む。
【００４９】
ステップ  Ｓ３０１：端末デバイスは、マクロ・セルラー・ネットワークを使用して、端末デバイスのメディアアクセス制御アドレス（ＳＴＡ  ＭＡＣアドレス）と、端末デバイス識別子（ＵＥ  ＩＤ）を、インターネットワーク・コーディネーション・デバイスに送信する。
【００５０】
ＵＥ  ＩＤは、ＳＴＡ  ＭＡＣアドレスに対応する、マクロ・セルラー・ネットワーク内のマクロセルのセル識別子を決定するために使用される。
【００５１】
登録を実行する又はサービスを行う際に、端末デバイスは、端末デバイスのＳＴＡ  ＭＡＣアドレス及び端末デバイスのＵＥ  ＩＤ（ＩＭＳＩなど）を、インターネットワーク・コーディネーション・デバイスに報告する。端末デバイスのＳＴＡ  ＭＡＣアドレスとＵＥ  ＩＤは互いに対応しているため、ＳＴＡ  ＭＡＣアドレスとＵＥ  ＩＤを同時に受信すると、インターネットワーク・コーディネーション・デバイスは、ＵＥ  ＩＤを使用して、マクロ・ネットワーク側のマクロセルのセル識別子と、ＳＴＡ  ＭＡＣアドレスとの間の対応関係を確立し得る。
【００５２】
具体的には、インターネットワーク・コーディネーション・デバイスは、マクロ・セルラー・ネットワーク内のマクロセルのセル識別子と、ＵＥ  ＩＤとの間の対応関係を事前に格納し得る。端末デバイスにより送信されたＵＥ  ＩＤを受信すると、インターネットワーク・コーディネーション・デバイスは、インターネットワーク・コーディネーション・デバイスにより決定されたマクロセルのセル識別子と、インターネットワーク・コーディネーション・デバイスにより受信されたＳＴＡ  ＭＡＣアドレスとの間の対応関係をさらに確立するために、マクロセルのセル識別子とＵＥ  ＩＤとの間の対応関係を使用して、受信したＵＥ  ＩＤに対応するマクロセルのセル識別子を決定し得る。
【００５３】
ステップ  Ｓ３０２：端末デバイスは、無線ローカル・エリア・ネットワーク内のＡＰが、ＡＰの識別情報（ＡＰ  ＭＡＣアドレスなど）とＳＴＡ  ＭＡＣアドレスとの間の対応関係を確立し、ＡＰの識別情報とＳＴＡ  ＭＡＣアドレスとの間の対応関係を、インターネットワーク・コーディネーション・デバイスに送信できるように、ＳＴＡ  ＭＡＣアドレスを搬送するプローブ要求メッセージを、無線ローカル・エリア・ネットワーク内のＡＰに送信する。
【００５４】
端末デバイスは、ＳＴＡ  ＭＡＣアドレスを搬送するプローブ要求を、無線ローカル・エリア・ネットワーク内のＡＰに送信する。プローブ要求メッセージを受信した後、無線ローカル・エリア・ネットワーク内のＡＰは、プローブ要求メッセージからＳＴＡ  ＭＡＣアドレスを抽出し、ＡＰの識別情報（ＡＰ  ＭＡＣアドレスなど）とＳＴＡ  ＭＡＣアドレスとの間の対応関係を確立し、その後、確立されたＡＰの識別情報とＳＴＡ  ＭＡＣアドレスとの間の対応関係を、インターネットワーク・コーディネーション・デバイスに送信する。インターネットワーク・コーディネーション・デバイスは、マクロセルのセル識別子とＳＴＡ  ＭＡＣアドレスとの対応関係、及びＡＰの識別情報とＳＴＡ  ＭＡＣアドレスとの間の対応関係を使用して、マクロ・セルラー・ネットワーク内のマクロセルのセル識別子と無線ローカル・エリア・ネットワーク内のＡＰの識別情報との間の対応関係を確立し、この対応関係が近接セル設定情報である。
【００５５】
本発明のこの実施形態において提供される近接セル情報を報告するための方法において、端末デバイスは、端末デバイスのＳＴＡ  ＭＡＣアドレスと、端末デバイスのＵＥ  ＩＤをインターネットワーク・コーディネーション・デバイスに報告し得、ＡＰが、ＡＰの識別情報とＳＴＡ  ＭＡＣアドレスとの間の対応関係を確立し、対応関係を、インターネットワーク・コーディネーション・デバイスに送信できるように、プローブ要求メッセージも、無線ローカル・エリア・ネットワーク内のＡＰに送信し得る。したがって、インターネットワーク・コーディネーション・デバイスは、マクロ・セルラー・ネットワーク内のマクロセルのセル識別子と、無線ローカル・エリア・ネットワーク内のＡＰの識別情報との間の対応関係を確立し得る。本発明のこの実施形態において提供される近接セル情報を報告するための方法を使用して、インターネットワーク・コーディネーション・デバイスは、自動的に近接セルの設定を実施可能であり、手動の設定を必要としない。
【００５６】
上述の実施形態において提供された近接セルを設定するための方法において、近接セルの設定が実行されると、インターネットワーク・コーディネーション・デバイスは、近接セル設定情報を確立するために、まず、２つの対応関係、すなわち、マクロセルのセル識別子とＳＴＡ  ＭＡＣアドレスとの間の対応関係、及びＳＴＡ  ＭＡＣアドレスとＡＰの識別情報との間の対応関係を取得し、その後、ＳＴＡ  ＭＡＣアドレスを使用して、マクロセルのセル識別子を近接セルのＡＰの識別情報と関連付ける。２つの対応関係が取得される必要があり、２つの対応関係内のＳＴＡ  ＭＡＣアドレスが、近接セル設定情報を確立するためにマッチされる必要があるため、上述の処理を使用することで、インターネットワーク・コーディネーション・デバイスにより近接セルの設定を実施するための処理は複雑であることが分かり得る。近接セル設定の処理を更に単純化するために、本発明のこの実施形態は、近接セルを設定するための他の方法を提供する。
【００５７】
本発明の技術的ソリューションをインターネットワーク・コーディネーション・デバイスの観点から説明すると、図４を参照し、図４は、本発明の一実施形態による近接セルを設定するための別の方法の概略フローチャートである。方法は、以下を含む。
【００５８】
ステップ  Ｓ４０１：インターネットワーク・コーディネーション・デバイスは、マクロ・セルラー・ネットワークを使用して端末デバイスにより報告される、無線ローカル・エリア・ネットワーク内のＡＰの識別情報とＵＥ  ＩＤとの間の対応関係を受信する。
【００５９】
ＡＰの識別情報は、ＡＰのＭＡＣアドレス、又はＡＰのＢＳＳＩＤであり得る。
【００６０】
この実施形態において、サービスを実行するとき、端末デバイスは、無線ローカル・エリア・ネットワーク内のＡＰの識別情報（ＡＰ  ＭＡＣアドレスなど）を取得するために、スキャニングのためにＷｉＦｉモジュールをターンオンし得る。さらに、無線ローカル・エリア・ネットワークのＡＰの識別情報を取得した後、端末デバイスは、ＡＰの識別情報を端末デバイスのＵＥ  ＩＤと関連付けし、ＡＰの識別情報とＵＥ  ＩＤとの間の対応関係を確立し得、その後、セル及びＲＮＣを使用して、対応関係を、インターネットワーク・コーディネーション・デバイスに報告する。
【００６１】
ステップ  Ｓ４０２：インターネットワーク・コーディネーション・デバイスは、ＵＥ  ＩＤに対応する、マクロ・セルラー・ネットワーク内のマクロセルのセル識別子を決定する。
【００６２】
具体的には、インターネットワーク・コーディネーション・デバイスは、マクロ・セルラー・ネットワーク内のマクロセルのセル識別子と、ＵＥ  ＩＤとの間の対応関係を事前に格納し得る。端末デバイスにより送信されたＵＥ  ＩＤを受信すると、インターネットワーク・コーディネーション・デバイスは、マクロセルのセル識別子とＵＥ  ＩＤとの間の対応関係を使用して、受信したＵＥ  ＩＤに対応する、マクロセルのセル識別子を決定し得る。
【００６３】
ステップ  Ｓ４０３：インターネットワーク・コーディネーション・デバイスは、無線ローカル・エリア・ネットワークのＡＰの識別情報と、マクロ・セルラー・ネットワーク内のマクロセルの決定されたセル識別子との間の対応関係を確立する。
【００６４】
代表的には、インターネットワーク・コーディネーション・デバイスにより確立された対応関係は、テーブル形式(すなわち、対応関係テーブル)であり、インターネットワーク・コーディネーション・デバイスにより確立された、無線ローカル・エリア・ネットワーク内のＡＰのＡＰ  ＭＡＣアドレスとマクロ・セルラー・ネットワーク内のマクロセルのセル識別子との間の対応関係のテーブルが以下に示されている。
【００６５】
【表４】
0006374602.tif 000005
【００６６】
本発明のこの実施形態において提供される近接セルを設定するための方法において、インターネットワーク・コーディネーション・デバイスは、端末デバイスにより報告された、ＡＰの識別情報とＵＥ  ＩＤとの間の対応関係を受信し、その後、対応関係を使用して、マクロセルのセル識別子とＡＰの識別情報との間の対応関係をさらに確立し得る。本発明のこの実施形態において提供される近接セル情報を報告するための方法を使用することにより、インターネットワーク・コーディネーション・デバイスは、近接セルの設定を自動で実施し得、手動の設定を必要とせず、単純な実施処理を有している。
【００６７】
対応して、本発明の技術的ソリューションを端末デバイスの観点から説明すると、図５を参照すると、図５は、本発明の一実施形態による近接セル情報を報告するための別の方法の概略フローチャートである。方法は、以下を含む。
【００６８】
ステップ  Ｓ５０１：端末デバイスは、無線ローカル・エリア・ネットワークのＡＰの識別情報を取得する。
【００６９】
ＡＰの識別情報は、ＡＰのＭＡＣアドレス、又はＡＰのＢＳＳＩＤであり得る。
【００７０】
この実施形態において、サービスを行う場合に、端末デバイスは、スキャンを実行して無線ローカル・エリア・ネットワーク内のＡＰの識別情報(ＡＰ  ＭＡＣアドレスなど)を取得するために、ＷｉＦｉモジュールをターンオンする。具体的には、プローブ要求メッセージが、ＷｉＦｉモジュールを使用して、無線ローカル・エリア・ネットワーク内のＡＰに送信される。プローブ要求メッセージを受信した後、無線ローカル・エリア・ネットワーク内のＡＰは、プローブ応答メッセージを、端末デバイスに返信し、プローブ応答メッセージは、ＡＰの識別情報(ＡＰ  ＭＡＣアドレスなど)を搬送する。ＡＰにより返信されたプローブ応答メッセージを受信した後、端末デバイスは、プローブ応答メッセージからＡＰの識別情報を抽出する。
【００７１】
ステップ  Ｓ５０２：端末デバイスは、無線ローカル・エリア・ネットワークのＡＰの識別情報と、端末デバイス識別子（ＵＥ  ＩＤ）との間の対応関係を確立する。
【００７２】
具体的には、プローブ応答メッセージから、ＡＰの識別情報(ＡＰ  ＭＡＣアドレスなど)を抽出した後、端末デバイスは、ＡＰの識別情報をＵＥ  ＩＤと関連付けし、ＡＰの識別情報とＵＥ  ＩＤとの間の対応関係を確立する。
【００７３】
ステップ  Ｓ５０３：端末デバイスは、マクロ・セルラー・ネットワークを使用して、無線ローカル・エリア・ネットワークのＡＰの識別情報とＵＥ  ＩＤとの間の対応関係を、インターネットワーク・コーディネーション・デバイスに報告する。
【００７４】
端末デバイスのＵＥ  ＩＤは、無線ローカル・エリア・ネットワーク内のＡＰの識別情報（ＡＰ  ＭＡＣアドレス）に対応する、マクロ・セルラー・ネットワークのマクロセルのセル識別子を決定するために使用される。
【００７５】
端末デバイスにより報告された、ＡＰの識別情報(ＡＰ  ＭＡＣアドレス)とＵＥ  ＩＤとの間の対応関係を受信した後、インターネットワーク・コーディネーション・デバイスは、ＵＥ  ＩＤに対応する、マクロセルのセル識別子を決定し、その後、マクロセルの決定されたセル識別子と、ＵＥ  ＩＤとの間の対応関係を確立し、対応関係が、近接セル設定情報である。
【００７６】
具体的には、インターネットワーク・コーディネーション・デバイスは、マクロ・セルラー・ネットワーク内のマクロセルのセル識別子と、ＵＥ  ＩＤとの間の対応関係を事前に格納し得る。端末デバイスにより送信されたＵＥ  ＩＤを受信すると、インターネットワーク・コーディネーション・デバイスは、マクロセルのセル識別子とＵＥ  ＩＤとの間の対応関係を使用して、受信したＵＥ  ＩＤに対応する、マクロセルのセル識別子を決定し得る。
【００７７】
本発明のこの実施形態において提供される近接セル情報を報告するための方法において、端末デバイスは、スキャニングを通じて、無線ローカル・エリア・ネットワーク内のＡＰの識別情報を取得し得、ＡＰの識別情報を端末デバイスのＵＥ  ＩＤと関連付けし、インターネットワーク・コーディネーション・デバイスが、ＡＰの識別情報とＵＥ  ＩＤとの間の対応関係に基づいて、ＡＰの識別情報と、マクロセルのセル識別子との間の対応関係を確立できるように、ＡＰの識別情報とＵＥ  ＩＤとの間の対応関係を、インターネットワーク・コーディネーション・デバイスに報告する。本発明のこの実施形態において提供される近接セル情報を報告するための方法を使用することにより、インターネットワーク・コーディネーション・デバイスは、近接セルの設定を自動で実施し得、手動の設定を必要とせず、単純な実施処理を有している。
【００７８】
図６を参照すると、図６は、本発明の一実施形態による近接セルを設定するための装置の概略構成図である。装置は、インターネットワーク・コーディネーション・デバイスに適用され、装置は、第１確立モジュール６０１、受信モジュール６０２、及び第２確立モジュール６０３を具備し得る。
【００７９】
第１確立モジュール６０１は、マクロ・セルラー・ネットワーク内のマクロセルのセル識別子と、端末デバイスのメディアアクセス制御アドレス（ＳＴＡ  ＭＡＣアドレス）との間の対応関係を確立し、確立された対応関係を、第１の対応関係として使用するように構成されている。
【００８０】
受信モジュール６０２は、無線ローカル・エリア・ネットワーク内のアクセスポイント（ＡＰ）により送信された、端末デバイスのＳＴＡ  ＭＡＣアドレスとＡＰの識別情報との間の対応関係を受信し、受信した対応関係を第２の対応関係として使用するように構成されている。
【００８１】
ＡＰの識別情報は、ＡＰのＭＡＣアドレス、又はＡＰのＢＳＳＩＤであり得る。
【００８２】
第２確立モジュール６０３は、第１確立モジュール６０１により確立された第１の対応関係と、受信モジュール６０２により受信された第２の対応関係とを使用して、マクロ・セルラー・ネットワーク内のマクロセルのセル識別子と、無線ローカル・エリア・ネットワーク内のＡＰの識別情報との間の対応関係を確立するように構成されている。
【００８３】
本発明のこの実施形態において提供される近接セルを設定するための装置は、マクロ・ネットワーク側のＳＴＡ  ＭＡＣアドレスと、マクロセルのセル識別子との間の対応関係を確立し得る。無線ローカル・エリア・ネットワーク内のＡＰにより送信された、ＳＴＡ  ＭＡＣアドレスとＡＰの識別情報との間の対応関係を受信した後、近接セルを設定するための装置は、受信したＳＴＡ  ＭＡＣアドレスをマクロ・ネットワーク側のＳＴＡ  ＭＡＣアドレスとマッチし、マクロ・セルラー・ネットワーク内のマクロセルのセル識別子と、無線ローカル・エリア・ネットワークのＡＰの識別情報との間の対応関係を、さらに確立する。本発明のこの実施形態において提供される近接セルを設定するための装置は、近接セル情報の自動設定を実施可能であり、ライブネットワークの手動のテスト及び設定を必要としない。
【００８４】
上述の実施形態における第１確立モジュール６０１は、受信サブモジュール、決定サブモジュール、及び第１確立サブモジュールを具備し得る。
【００８５】
受信サブモジュールは、マクロ・セルラー・ネットワークを使用して、端末デバイスにより報告された、ＳＴＡ  ＭＡＣアドレスと、端末デバイス識別子（ＵＥ  ＩＤ）とを受信するように構成されている。
【００８６】
決定サブモジュールは、受信サブモジュールにより受信されたＵＥ  ＩＤに対応する、マクロセルのセル識別子を決定するように構成されている。
【００８７】
第１確立サブモジュールは、受信サブモジュールにより受信されたＳＴＡ  ＭＡＣアドレスと、決定サブモジュールにより決定された、マクロセルのセル識別子との間の対応関係を確立するように構成されている。
【００８８】
上述の実施形態における第２確立モジュール６０３は、検索サブモジュール、取得サブモジュール、及び第２確立サブモジュールを具備し得る。
【００８９】
検索サブモジュールは、第１の対応関係を検索して、第２の対応関係におけるＳＴＡ  ＭＡＣアドレスと同じＳＴＡ  ＭＡＣアドレスを検索し、見つかったＳＴＡ  ＭＡＣアドレスを第１ＳＴＡ  ＭＡＣアドレスとして使用するように構成されている。
【００９０】
取得サブモジュールは、第１の対応関係から、検索サブモジュールにより見つけられた第１ＳＴＡ  ＭＡＣアドレスに対応するセル識別子を、第１セル識別子として取得し、第２の対応関係から、検索サブモジュールにより見つけられた第１ＳＴＡ  ＭＡＣアドレスに対応するＡＰの識別情報を、第１ＡＰの識別情報として取得する。
【００９１】
第２確立サブモジュールは、取得サブモジュールにより取得された第１セル識別子と、第１ＡＰの識別情報との間の対応関係を確立するように構成されている。
【００９２】
図７を参照すると、図７は、本発明の一実施形態による近接セル情報を報告するための装置の概略構成図である。装置は、端末デバイスに適用され、装置は、第１送信モジュール７０１、及び第２送信モジュール７０２を具備し得る。
【００９３】
第１送信モジュール７０１は、マクロ・セルラー・ネットワークを使用して、端末デバイスのメディアアクセス制御アドレス（ＳＴＡ  ＭＡＣアドレス）と、端末デバイス識別子（ＵＥ  ＩＤ）を、インターネットワーク・コーディネーション・デバイスに送信するように構成されている。
【００９４】
ＵＥ  ＩＤは、ＳＴＡ  ＭＡＣアドレスに対応する、マクロ・セルラー・ネットワーク内のマクロセルのセル識別子を決定するために使用される。
【００９５】
第２送信モジュール７０２は、無線ローカル・エリア・ネットワーク内のＡＰが、ＡＰの識別情報と、ＳＴＡ  ＭＡＣアドレスとの間の対応関係を確立し、対応関係を、インターネットワーク・コーディネーション・デバイスに送信できるように、ＳＴＡ  ＭＡＣアドレスを搬送するプローブ要求を、無線ローカル・エリア・ネットワーク内のアクセスポイント（ＡＰ）に送信するように構成されている。
【００９６】
ＡＰの識別情報は、ＡＰのＭＡＣアドレス、又はＡＰのＢＳＳＩＤであり得る。
【００９７】
本発明のこの実施形態において提供される近接セル情報を報告するための装置は、端末デバイスのＳＴＡ  ＭＡＣアドレスと、端末デバイスのＵＥ  ＩＤを、インターネットワーク・コーディネーション・デバイスに送信し得、ＡＰが、ＡＰの識別情報と、ＳＴＡ  ＭＡＣアドレスとの間の対応関係を確立して、対応関係を、インターネットワーク・コーディネーション・デバイスに送信できるように、プローブ要求メッセージも、無線ローカル・エリア・ネットワーク内のＡＰに送信し得る。したがって、インターネットワーク・コーディネーション・デバイスは、マクロ・セルラー・ネットワーク内のマクロセルのセル識別子と、無線ローカル・エリア・ネットワークのＡＰの識別情報との間の対応関係を確立し得る。本発明のこの実施形態において提供される近接セル情報を報告するための装置を使用することにより、インターネットワーク・コーディネーション・デバイスは、近接セル情報の自動設定を実施可能であり、ライブネットワークの手動のテスト及び設定を必要としない。
【００９８】
図８を参照すると、図８は、本発明の一実施形態による近接セルを設定するための別の装置の概略構成図である。装置は、インターネットワーク・コーディネーション・デバイスに適用され、装置は、受信モジュール８０１、決定モジュール８０２、及び確立モジュール８０３を具備し得る。
【００９９】
受信モジュール８０１は、マクロ・セルラー・ネットワークを使用して端末デバイスにより報告された、無線ローカル・エリア・ネットワークのアクセスポイント（ＡＰ）の識別情報と端末デバイス識別子（ＵＥ  ＩＤ）との間の対応関係を、受信するように構成されている。
【０１００】
決定モジュール８０２は、受信モジュール８０１により受信された対応関係内のＵＥ  ＩＤに対応する、マクロ・セルラー・ネットワーク内のマクロセルのセル識別子を決定するように構成されている。
【０１０１】
確立モジュール８０３は、決定モジュール８０２により決定されたセル識別子と、受信モジュール８０１により受信された対応関係におけるＡＰの識別情報との間の対応関係を確立するために使用される。
【０１０２】
本発明のこの実施形態において提供される近接セルを設定するための装置は、端末デバイスにより報告された、ＡＰの識別情報とＵＥ  ＩＤとの間の対応関係を受信し、その後、対応関係を使用して、マクロセルのセル識別子とＡＰの識別情報との間の対応関係を、さらに確立し得る。本発明のこの実施形態において提供される近接セルを設定するための装置は、近接セル情報の自動設定を実施可能であり、ライブネットワークの手動のテスト及び設定を必要としない。
【０１０３】
図９を参照すると、図９は、本発明の一実施形態による近接セル情報を報告するための別の装置の概略構成図である。装置は、端末デバイスに適用され、装置は、取得モジュール９０１、確立モジュール９０２、及び送信モジュール９０３を具備し得る。
【０１０４】
取得モジュール９０１は、無線ローカル・エリア・ネットワークのアクセスポイント（ＡＰ）の識別情報を取得するように構成されている。
【０１０５】
確立モジュール９０２は、端末デバイス識別子（ＵＥ  ＩＤ）と、取得モジュール９０１により取得されたＡＰの識別情報との間の対応関係を確立するように構成されている。
【０１０６】
送信モジュール９０３は、マクロ・セルラー・ネットワークを使用して、確立モジュール９０２により確立された対応関係を、インターネットワーク・コーディネーション・デバイスに送信するように構成されている。
【０１０７】
端末デバイスのＵＥ  ＩＤは、無線ローカル・エリア・ネットワークのＡＰの識別情報に対応する、マクロ・セルラー・ネットワーク内のマクロセルのセル識別子を決定するために使用される。
【０１０８】
本発明のこの実施形態において提供される近接セル情報を報告するための装置は、スキャニングを通じて、無線ローカル・エリア・ネットワーク内のＡＰの識別情報(ＡＰ  ＭＡＣアドレスなど)を取得し得、ＡＰの識別情報を、端末デバイスのＵＥ  ＩＤと関連付け、インターネットワーク・コーディネーション・デバイスが、ＡＰの識別情報とＵＥ  ＩＤとの間の対応関係に基づいて、ＡＰの識別情報とマクロセルのセル識別子との間の対応関係を確立できるように、ＡＰの識別情報とＵＥ  ＩＤとの間の対応関係を、インターネットワーク・コーディネーション・デバイスに報告する。本発明のこの実施形態において提供される近接セル情報を報告するための装置を使用することにより、インターネットワーク・コーディネーション・デバイスは、近接セル情報の設定を自動で実施可能であり、手動の設定を必要としない。
【０１０９】
上述の実施形態における取得モジュール９０１は、送信サブモジュール、受信サブモジュール、及び抽出サブモジュールを具備し得る。
【０１１０】
送信サブモジュールは、プローブ要求メッセージを、無線ローカル・エリア・ネットワーク内のＡＰに送信するように構成されている。
【０１１１】
受信サブモジュールは、ＡＰの識別情報(ＡＰ  ＭＡＣアドレスなど)を搬送する、ＡＰにより送信された、プローブ応答メッセージを受信するように構成されている。
【０１１２】
抽出サブモジュールは、受信サブモジュールにより受信されたプローブ応答メッセージから、ＡＰの識別情報を抽出するように構成されている。
【０１１３】
実際のアプリケーションにおいては、図６に示されている近接セルを設定するための装置は、具体的には、インターネットワーク・コーディネーション・デバイスに適用されている。図６に示されている近接セルを設定するための装置のインターネットワーク・コーディネーション・デバイスを採用することにより、近接セル情報の設定は、自動的に実施され得る。
【０１１４】
図１０を参照すると、図１０は、本発明の一実施形態によるインターネットワーク・コーディネーション・デバイスの概略構成図である。インターネットワーク・コーディネーション・デバイスは、少なくともメモリ１００１と、通信バスを使用してメモリ１００１に接続されているプロセッサ１００２とを具備し得る。
【０１１５】
メモリ１００１は、ソフトウェアプログラム及びモジュールを格納するように構成され得る。プロセッサ１００２は、メモリ１００１に格納されたソフトウェアプログラムやモジュールを実行することにより、インターネットワーク・コーディネーション・デバイスの各種機能アプリケーションやデータ処理を実行する。メモリ１００１は、高速ランダム・アクセス・メモリを含み得、例えば、少なくとも１つの磁気ディスク記憶装置、フラッシュ記憶装置などの不揮発性メモリ、又は他の揮発性ソリッド・ステート記憶装置も含むことができる。
【０１１６】
プロセッサ１００２は、インターネットワーク・コーディネーション・デバイスの制御センターであり、各種インターフェースや回線を用いてサーバ全体の全部を接続し、インターネットワーク・コーディネーション・デバイスの全体的な監視を行うために、インターネットワーク・コーディネーション・デバイスの各種機能を実行し、メモリ１００１に格納されているソフトウェアプログラム及び／又はモジュールを走らせ、又は実行することにより、及び、メモリ１００１に格納されているデータを呼び出すことにより、データを処理する。
【０１１７】
本発明のこの実施形態において、インターネットワーク・コーディネーション・デバイスに含まれているプロセッサ１００２は、以下の機能を備えている：マクロ・セルラー・ネットワーク内のマクロセルのセル識別子と、端末デバイスのメディアアクセス制御アドレス（ＳＴＡ  ＭＡＣアドレス）との間の対応関係を確立し、確立された対応関係を第１の対応関係として使用することと、無線ローカル・エリア・ネットワーク内のアクセスポイント（ＡＰ）により送信された、ＳＴＡ  ＭＡＣアドレスとＡＰの識別情報との間の対応関係を受信し、受信した対応関係を第２の対応関係として使用することと、第１の対応関係と第２の対応関係とを使用して、マクロ・セルラー・ネットワーク内のマクロセルのセル識別子と、無線ローカル・エリア・ネットワーク内のＡＰの識別情報との間の対応関係を確立すること。
【０１１８】
実際のアプリケーションにおいては、図７に示されている近接セル情報を報告するための装置は、具体的には、端末デバイスに適用される。図１１を参照すると、図１１は、本発明の一実施形態による端末デバイスの概略構成図である。端末デバイスは、少なくともメモリ１１０１と、通信バスを使用してメモリ１１０１と接続されているプロセッサ１１０２とを具備し得る。
【０１１９】
メモリ１１０１は、ソフトウェアプログラム及びモジュールを格納するように構成され得る。プロセッサ１１０２は、メモリ１１０１に格納されたソフトウェアプログラムやモジュールを実行することにより、端末デバイスの各種機能アプリケーションやデータ処理を実行する。メモリ１１０１は、高速ランダム・アクセス・メモリを含み得、例えば、少なくとも１つの磁気ディスク記憶装置、フラッシュ記憶装置などの不揮発性メモリ、又は他の揮発性ソリッド・ステート記憶装置も含むことができる。
【０１２０】
プロセッサ１１０２は、端末デバイスの制御センターであり、各種インターフェースや回線を用いてサーバ全体の全部を接続し、端末デバイスの全体的な監視を行うために、端末デバイスの各種機能を実行し、メモリ１１０１に格納されているソフトウェアプログラム及び／又はモジュールを走らせ、又は実行することにより、及び、メモリ１１０１に格納されているデータを呼び出すことにより、データを処理する。
【０１２１】
本発明のこの実施形態において、端末デバイスに含まれているプロセッサ１１０２は、以下の機能を備えている：マクロ・セルラー・ネットワークを使用して、端末デバイスのメディアアクセス制御アドレス（ＳＴＡ  ＭＡＣアドレス）と、端末デバイス識別子（ＵＥ  ＩＤ）を、インターネットワーク・コーディネーション・デバイスに送信することであって、ＵＥ  ＩＤは、ＳＴＡ  ＭＡＣアドレスに対応する、マクロ・セルラー・ネットワーク内のマクロセルのセル識別子を決定するために使用される、送信することと、無線ローカル・エリア・ネットワーク内のＡＰが、ＡＰの識別情報と、ＳＴＡ  ＭＡＣアドレスとの間の対応関係を確立し、ＡＰの識別情報とＳＴＡ  ＭＡＣアドレスとの間の対応関係を、インターネットワーク・コーディネーション・デバイスに送信できるように、ＳＴＡ  ＭＡＣアドレスを搬送するプローブ要求を、無線ローカル・エリア・ネットワーク内のアクセスポイント（ＡＰ）に送信すること。
【０１２２】
実施あのアプリケーションにおいては、図８に示されている近接セルを設定するための装置は、具体的には、インターネットワーク・コーディネーション・デバイスに適用される。図８に示されている近接セルを設定するための装置のインターネットワーク・コーディネーション・デバイスを採用することにより、近接セル情報の設定は、自動的に実施され得る。
【０１２３】
図１２を参照すると、図１２は、本発明の一実施形態による別のインターネットワーク・コーディネーション・デバイスの概略構成図である。インターネットワーク・コーディネーション・デバイスは、少なくともメモリ１２０１と、通信バスを使用してメモリ１２０１と接続されているプロセッサ１２０２とを具備し得る。
【０１２４】
メモリ１２０１は、ソフトウェアプログラム及びモジュールを格納するように構成され得る。プロセッサ１２０２は、メモリ１２０１に格納されたソフトウェアプログラムやモジュールを実行することにより、インターネットワーク・コーディネーション・デバイスの各種機能アプリケーションやデータ処理を実行する。メモリ１２０１は、高速ランダム・アクセス・メモリを含み得、例えば、少なくとも１つの磁気ディスク記憶装置、フラッシュ記憶装置などの不揮発性メモリ、又は他の揮発性ソリッド・ステート記憶装置も含むことができる。
【０１２５】
プロセッサ１２０２は、インターネットワーク・コーディネーション・デバイスの制御センターであり、各種インターフェースや回線を用いてサーバ全体の全部を接続し、インターネットワーク・コーディネーション・デバイスの全体的な監視を行うために、インターネットワーク・コーディネーション・デバイスの各種機能を実行し、メモリ１２０１に格納されているソフトウェアプログラム及び／又はモジュールを走らせ、又は実行することにより、及び、メモリ１２０１に格納されているデータを呼び出すことにより、データを処理する。
【０１２６】
本発明のこの実施形態において、インターネットワーク・コーディネーション・デバイスに含まれているプロセッサ１２０２は、以下の機能を備えている：マクロ・セルラー・ネットワークを使用して端末デバイスにより報告された、無線ローカル・エリア・ネットワークのアクセスポイント（ＡＰ）の識別情報と端末デバイス識別子（ＵＥ  ＩＤ）との間の対応関係を受信することと、ＵＥ  ＩＤに対応する、マクロ・セルラー・ネットワーク内のマクロセルのセル識別子を決定することと、マクロ・セルラー・ネットワーク内のマクロセルの決定されたセル識別子と、無線ローカル・エリア・ネットワークのＡＰの識別情報との間の対応関係を確立すること。
【０１２７】
実際のアプリケーションにおいては、図９に示されている近接セル情報を報告するための装置は、具体的には、端末デバイスに適用される。図１３を参照すると、図１３は、本発明の一実施形態による別の端末デバイスの概略構成図である。端末デバイスは、少なくともメモリ１３０１と、通信バスを使用してメモリ１３０１と接続されているプロセッサ１３０２とを具備し得る。
【０１２８】
メモリ１３０１は、ソフトウェアプログラム及びモジュールを格納するように構成され得る。プロセッサ１３０２は、メモリ１３０１に格納されたソフトウェアプログラムやモジュールを実行することにより、端末デバイスの各種機能アプリケーションやデータ処理を実行する。メモリ１３０１は、高速ランダム・アクセス・メモリを含み得、例えば、少なくとも１つの磁気ディスク記憶装置、フラッシュ記憶装置などの不揮発性メモリ、又は他の揮発性ソリッド・ステート記憶装置も含むことができる。
【０１２９】
プロセッサ１３０２は、端末デバイスの制御センターであり、各種インターフェースや回線を用いてサーバ全体の全部を接続し、端末デバイスの全体的な監視を行うために、端末デバイスの各種機能を実行し、メモリ１３０１に格納されているソフトウェアプログラム及び／又はモジュールを走らせ、又は実行することにより、及び、メモリ１３０１に格納されているデータを呼び出すことにより、データを処理する。
【０１３０】
本発明のこの実施形態において、端末デバイスに含まれているプロセッサ１３０２は、以下の機能を備えている：無線ローカル・エリア・ネットワークのアクセスポイント（ＡＰ）の識別情報を取得することと、無線ローカル・エリア・ネットワークのＡＰの識別情報と、端末デバイス識別子（ＵＥ  ＩＤ）との間の対応関係を確立することと、マクロ・セルラー・ネットワークを使用して、無線ローカル・エリア・ネットワークのＡＰの識別情報と、ＵＥ  ＩＤとの間の対応関係をインターネットワーク・コーディネーション・デバイスに送信することであって、端末デバイスのＵＥ  ＩＤは、無線ローカル・エリア・ネットワークのＡＰの識別情報に対応する、マクロ・セルラー・ネットワーク内のマクロセルのセル識別子を決定するために使用される、送信すること。
【０１３１】
本明細書における各実施形態は、他の実施形態との相違点に焦点を合わせており、各実施形態の同じ又は類似部分については、互いに参照する。本明細書の実施形態において説明された装置は、実施形態で説明された方法に対応するため、比較的簡潔に説明されており、それらの方法に関連する部分については、その方法の説明を参酌可能である。
【０１３２】
本明細書で提供されるいくつかの実施形態において、説明された方法、装置、及びデバイスは、他の様式において実施可能である。例えば、説明された装置の実施形態は、単なる例示である。例えば、ユニット分割は、単に論理的な機能分割であり、実際の実装においては他の分割であってもよい。例えば、複数のユニット又は構成要素は、別のシステムに組み合わせて、又は統合してもよく、又は一部の機能は無視、又は実行しなくてもよい。さらに、表示された又は検討された、相互結合又は直接結合、又は通信接続は、いくつかの通信インターフェースを通じて実装され得る。装置間又はユニット間の間接的結合又は通信接続は、電子的、機械的、又は他の携帯で実装されてもよい。
【０１３３】
別々の部分として説明されたユニットは、物理的に分離していてもいなくてもよく、ユニットとして表示されている部分は、物理的ユニットであってもなくてもよく、１カ所に配置されても、又は複数のネットワークユニット上に分配されてもよい。ユニットの一部又は全部は、実施形態のソリューションの目的を達成するための実際のニーズに応じて選択することができる。
【０１３４】
また、本発明の実施形態における機能ユニットは、１つの処理ユニットに統合されてもよく、または各ユニットが、物理的に単独で存在しても、２つ以上のユニットが１つのユニットに統合されてもよい。
【０１３５】
機能がソフトウェア機能ユニットの形で実装され、独立した製品として販売又は使用される場合には、機能は、コンピュータ可読記憶媒体に格納されてもよい。そのような理解に基づいて、本発明の技術的ソリューションの殆ど、又は従来技術に寄与する部分、または技術的ソリューションのいくつかはソフトウェア製品の形態で実施され得る。ソフトウェア製品は、格納媒体に格納されており、コンピュータデバイス（パーソナルコンピュータ、サーバ、又はネットワークデバイスであり得る）に、本発明の実施形態において説明した方法のステップの全部又は一部を実行するように指示するためのいくつかの命令を含んでいる。上記の格納媒体は、ＵＳＢフラッシュドライブ、リムーバブルハードディスク、読み取り専用メモリ（ROM, Read-Only Memory)、ランダム・アクセス・メモリ（RAM, Random Access Memory)、磁気ディスク、又は光ディスクなど、プログラムコードを格納可能な任意の媒体を備えている。
【０１３６】
上述の実施形態は、当業者が本発明を実施又は使用することを可能にするために説明されている。実施形態に対しなされる様々な修正は、当業者には明らかであり、本明細書で定義された一般的な原理は、本発明の精神又は範囲から逸脱することなく他の実施形態においても実施され得る。したがって、本出願は、本明細書に示されるこれらの実施形態に限定されることを意図するものではなく、本明細書に開示される原理及び新規な特徴に合わせた最も広い範囲に解釈されるものとする。
【符号の説明】
【０１３７】
６０１    第１確立モジュール
６０２    受信モジュール
６０３    第２確立モジュール
７０１    第１送信モジュール
７０２    第２送信モジュール
８０１    受信モジュール
８０２    決定モジュール
８０３    確立モジュール
９０１    取得モジュール
９０２    確立モジュール
９０３    送信モジュール
１００１  メモリ
１００２  プロセッサ
１１０１  メモリ
１１０２  プロセッサ
１２０１  メモリ
１２０２  プロセッサ
１３０１  メモリ
１３０２  プロセッサ
【図１】
0006374602.tif 000006
【図２】
0006374602.tif 000007
【図３】
0006374602.tif 000008
【図４】
0006374602.tif 000009
【図５】
0006374602.tif 000010
【図６】
0006374602.tif 000011
【図７】
0006374602.tif 000012
【図８】
0006374602.tif 000013
【図９】
0006374602.tif 000014
【図１０】
0006374602.tif 000015
【図１１】
0006374602.tif 000016
【図１２】
0006374602.tif 000017
【図１３】
0006374602.tif 000018